(57)【要約】【課題】  良好なノイズ特性と高力率特性が得られる好適なスイッチング電源を提供する。【解決手段】  交流電圧を整流する整流回路と、前記整流回路の出力を平滑する平滑コンデンサと、前記平滑コンデンサの電圧を入力し、スイッチのオンオフにより電圧変換を行うと共に、高周波交流電圧を生成するコンバータとを備えるスイッチング電源において、第１巻線を前記交流電圧の一端と前記高周波交流電圧との間に整流器を介して接続するカップルドインダクタと、前記カップルドインダクタの第２巻線と直列に接続すると共に、前記第１巻線の一端と前記交流電圧の他端との間に接続するフィルタコンデンサとを備えることを特徴とするスイッチング電源。【選択図】                    図１
2005057893.tif 000002
【特許請求の範囲】
【請求項１】
交流電圧を整流する整流回路と、前記整流回路の出力を平滑する平滑コンデンサと、前記平滑コンデンサの電圧を入力し、スイッチのオンオフにより電圧変換を行うと共に、高周波交流電圧を生成するコンバータとを備えるスイッチング電源において、
第１巻線を前記交流電圧の一端と前記高周波交流電圧との間に整流器を介して接続するカップルドインダクタと、
前記カップルドインダクタの第２巻線と直列に接続すると共に、前記第１巻線の一端と前記交流電圧の他端との間に接続するフィルタコンデンサと
を備えることを特徴とするスイッチング電源。
【請求項２】
前記第１巻線または前記第２巻線に直列に接続するインダクタを備えることを特徴とする請求項１記載のスイッチング電源。
【請求項３】
前記交流電圧の一端と前記交流電圧の他端との間に接続されるコンデンサを備えることを特徴とする請求項１記載のスイッチング電源。
【請求項４】
前記カップルドインダクタと前記フィルタコンデンサとからなる“ゼロ”リップル回路のノッチの周波数と前記オンオフのスイッチング周波数とがほぼ一致することを特徴とする請求項１記載のスイッチング電源。
【請求項５】
交流電圧を整流する整流回路と、前記整流回路の出力を平滑する平滑コンデンサと、前記平滑コンデンサの電圧を入力し、スイッチのオンオフにより電圧変換を行うと共に、高周波交流電圧を生成するコンバータとを備えるスイッチング電源において、
第１巻線を前記交流電圧の一端と前記高周波交流電圧との間に整流器を介して接続する第１カップルドインダクタと、
前記第１カップルドインダクタの第２巻線と直列に接続すると共に、前記第１カップルドインダクタの第１巻線の一端と前記交流電圧の他端との間に接続する第１フィルタコンデンサと、
第１巻線を前記交流電圧の他端と前記高周波交流電圧との間に整流器を介して接続する第２カップルドインダクタと、
前記第２カップルドインダクタの第２巻線と直列に接続すると共に、前記第２カップルドインダクタの第１巻線の一端と前記交流電圧の一端との間に接続する第２フィルタコンデンサと
を備えることを特徴とするスイッチング電源。
【請求項６】
交流電圧を整流する整流回路と、前記整流回路の出力を平滑する平滑コンデンサと、前記平滑コンデンサの電圧を入力し、スイッチのオンオフにより電圧変換を行うと共に、高周波交流電圧を生成するコンバータとを備えるスイッチング電源において、
前記交流電圧の一端と前記高周波交流電圧との間に接続する第１インダクタ、第２インダクタ及び整流器とからなる直列回路と、
前記第１インダクタと前記第２インダクタとの接続点と前記交流電圧の他端との間に接続する第３インダクタとフィルタコンデンサとからなる直列回路と
を備えることを特徴とするスイッチング電源。
【請求項７】
前記第１インダクタと前記第２インダクタとの接続点と前記交流電圧の他端との間に接続するコンデンサを備えることを特徴とする請求項６記載のスイッチング電源。
【発明の詳細な説明】
【技術分野】
【０００１】
本発明は、交流電圧を入力し所定の出力に変換し、特に、高力率及び低ノイズで電力変換を行うスイッチング電源に関する。
【背景技術】
【０００２】
従来の高力率スイッチング電源は、ノルマルモードの伝導ノイズの特性が悪く、大形のフィルタが必要であった（例えば、特許文献１及び特許文献２参照。）。その詳細について、図１７を用いて説明する。図１７は従来のスイッチング電源を示す構成図である。
【０００３】
同図において、共通電位ＣＯＭ及び共通電位ＧＮＤをスイッチング電源の共通電位とする。また、交流電圧Ｖａｃは、フィルタ３０を介して、整流回路ＤＢ１に接続する。そして、整流回路ＤＢ１は交流電圧Ｖａｃを整流し、電圧Ｖａを生成する。
【０００４】
さらに、整流回路ＤＢ１の出力、即ち電圧Ｖａは、インダクタＬ１、ダイオードＤ２及びトランスＴ１の第１一次巻線ｎ１を介して、平滑コンデンサＣｉｎに接続する。そして、平滑コンデンサＣｉｎは整流回路ＤＢ１の出力を平滑し、電圧Ｖｃを生成する。
【０００５】
また、平滑コンデンサＣｉｎの電圧、即ち電圧Ｖｃはコンバータ２０に入力する。そして、コンバータ２０は、フライバック方式のコンバータを形成する。そしてまた、コンバータ２０は、スイッチＱ１のオンオフにより、電圧Ｖｃを出力電圧Ｖｏに電圧変換する。
【０００６】
詳しくは、電圧ＶｃはトランスＴ１の第１一次巻線ｎ１、トランスＴ１の第２一次巻線ｎ２及びスイッチＱ１とからなる直列回路に接続する。また、トランスＴ１の二次巻線ｎ３は、ダイオードＤｒｅｃを介して、コンデンサＣｏｕｔ及び負荷Ｌｏａｄに接続する。
【０００７】
そして、スイッチＱ１のオンオフにより、電圧Ｖｃが第１一次巻線ｎ１及び第２一次巻線ｎ２に印加され、二次巻線ｎ３に出力となる電圧が誘起する。二次巻線ｎ３に誘起する電圧は、ダイオードＤｒｅｃで整流され、さらにコンデンサＣｏｕｔで平滑され、出力電圧Ｖｏとなる。そしてまた、負荷電流Ｉｏは負荷Ｌｏａｄに電力を供給する。
【０００８】
さらに、コンバータ２０は、スイッチＱ１のオンオフにより、第１一次巻線ｎ１と第２一次巻線ｎ２との接続点に高周波交流電圧Ｖｎを生成する。
【０００９】
また、高周波交流電圧Ｖｎは、整流器であるダイオードＤ２及び整流回路ＤＢ１とインダクタＬ１とを介して、交流電圧Ｖａｃに接続されている。
【００１０】
さらに、ダイオードＤ１は、整流回路ＤＢ１と平滑コンデンサＣｉｎとの間に接続する。
【００１１】
また、コンデンサＣｆ１は、整流回路ＤＢ１の正極と整流回路ＤＢ１の負極との間に接続する。そして、コンデンサＣｆ１は、図１７の従来例で発生するノイズを抑制する。そしてまた、コンデンサＣｆ１はフィルタ３０の等価的な容量とみなすことができる。
【００１２】
このような、図１７の従来例の動作を説明する。スイッチＱ１のオンオフにより、高周波交流電圧Ｖｎが生成される。そして、インダクタＬ１は、スイッチＱ１のオンオフにより、電圧Ｖａ及び高周波交流電圧Ｖｎが印加され、励磁及びリセットされる。こうして励磁されたインダクタＬ１は、入力電流Ｉｉｎの導通角を広げ、高調波電流を抑制する。よって、図１７の従来例は高力率で電圧変換する。
【００１３】
また、ダイオードＤ１は、図１７の従来例の起動等のときに平滑コンデンサＣｉｎの充電を促進させ、動作を安定化させる。
【００１４】
さらに、図１８は、図１７の従来例の各部の動作波形である。ただし、インダクタＬ１は４４μＨ、平滑コンデンサＣｉｎは３３０μＨ、トランスＴ１における第１一次巻線ｎ１：第２一次巻線ｎ２：二次巻線ｎ３は２１：３９：１２、コンデンサＣｆ１は３μＦ、交流電圧Ｖａｃは１００Ｖａｃ、出力電圧Ｖｏは１３．２Ｖ、負荷電流Ｉｏは６．７Ａ、スイッチＱ１のオンオフの周波数、即ちスイッチング周波数は６０ｋＨｚとする。
【００１５】
図１８において、（ａ）は入力電流Ｉｉｎであり、（ｂ）はインダクタＬ１の電流ＩＬ１であり、（ｃ）はインダクタＬ１の電流ＩＬ１を拡大したものであり、（ｄ）は図１７の従来例の伝導ノイズ特性である。
【００１６】
同図より、インダクタＬ１には、三角波状の不連続な電流が流れる。そして、図１７の従来例は、インダクタＬ１の電流が不連続となる、いわゆるインダクタ電流不連続モード（ＤＣＭ）で動作する。図１８（ｂ）及び図１８（ｃ）はインダクタ電流不連続モード（ＤＣＭ）で動作することを示す。
【００１７】
【特許文献１】特開２００１−１１９９３４号公報
【特許文献２】特許第３４０２３６１号公報
【発明の開示】
【発明が解決しようとする課題】
【００１８】
しかしながら、図１７の従来例は、図１８（ｄ）に示すとおり、伝導ノイズ特性が悪いという課題がある。特に、伝導ノイズのノルマルモード成分が大きい。このため、フィルタ３０が大形となるという課題がある。そして、大形のフィルタ３０は、高価で損失が大きい。
【００１９】
また、伝導ノイズが整流回路ＤＢ１及び交流電圧Ｖａｃ等を流れると、整流回路ＤＢ１及び交流電圧Ｖａｃ等をアンテナとする放射ノイズが発生する。よって、図１７の従来例は放射ノイズ特性が悪いという課題がある。
【００２０】
さらに、図１７の従来例は、インダクタＬ１の電流が連続となる、いわゆるインダクタ電流連続モード（ＣＣＭ）で動作させると、高力率が得られないという課題がある。詳しくは、インダクタ電流連続モード（ＣＣＭ）では、整流回路ＤＢ１からダイオードＤ１を介して平滑コンデンサＣｉｎへコンデンサインプット型の電流が流れる。
【００２１】
そして、インダクタ不電流連続モード（ＤＣＭ）の動作となるため、図１７の従来例は、高出力が得られず、大形となるという課題がある。
【００２２】
本発明の目的は、以上説明した課題を解決するものであり、良好なノイズ特性と高力率特性が得られる好適なスイッチング電源を提供することにある。また、本発明の目的は、インダクタ電流連続モード（ＣＣＭ）で動作し、小形・低コスト・簡便となるスイッチング電源を提供することにある。
【課題を解決するための手段】
【００２３】
このような目的を達成する本発明は、次の通りである。
（１）交流電圧を整流する整流回路と、前記整流回路の出力を平滑する平滑コンデンサと、前記平滑コンデンサの電圧を入力し、スイッチのオンオフにより電圧変換を行うと共に、高周波交流電圧を生成するコンバータとを備えるスイッチング電源において、第１巻線を前記交流電圧の一端と前記高周波交流電圧との間に整流器を介して接続するカップルドインダクタと、前記カップルドインダクタの第２巻線と直列に接続すると共に、前記第１巻線の一端と前記交流電圧の他端との間に接続するフィルタコンデンサとを備えることを特徴とするスイッチング電源。
【００２４】
（２）前記第１巻線または前記第２巻線に直列に接続するインダクタを備えることを特徴とする（１）記載のスイッチング電源。
【００２５】
（３）前記交流電圧の一端と前記交流電圧の他端との間に接続されるコンデンサを備えることを特徴とする（１）記載のスイッチング電源。
【００２６】
（４）前記カップルドインダクタと前記フィルタコンデンサとからなる“ゼロ”リップル回路のノッチの周波数と前記オンオフのスイッチング周波数とがほぼ一致することを特徴とする（１）記載のスイッチング電源。
【００２７】
（５）交流電圧を整流する整流回路と、前記整流回路の出力を平滑する平滑コンデンサと、前記平滑コンデンサの電圧を入力し、スイッチのオンオフにより電圧変換を行うと共に、高周波交流電圧を生成するコンバータとを備えるスイッチング電源において、第１巻線を前記交流電圧の一端と前記高周波交流電圧との間に整流器を介して接続する第１カップルドインダクタと、前記第１カップルドインダクタの第２巻線と直列に接続すると共に、前記第１カップルドインダクタの第１巻線の一端と前記交流電圧の他端との間に接続する第１フィルタコンデンサと、第１巻線を前記交流電圧の他端と前記高周波交流電圧との間に整流器を介して接続する第２カップルドインダクタと、前記第２カップルドインダクタの第２巻線と直列に接続すると共に、前記第２カップルドインダクタの第１巻線の一端と前記交流電圧の一端との間に接続する第２フィルタコンデンサとを備えることを特徴とするスイッチング電源。
【００２８】
（６）交流電圧を整流する整流回路と、前記整流回路の出力を平滑する平滑コンデンサと、前記平滑コンデンサの電圧を入力し、スイッチのオンオフにより電圧変換を行うと共に、高周波交流電圧を生成するコンバータとを備えるスイッチング電源において、前記交流電圧の一端と前記高周波交流電圧との間に接続する第１インダクタ、第２インダクタ及び整流器とからなる直列回路と、前記第１インダクタと前記第２インダクタとの接続点と前記交流電圧の他端との間に接続する第３インダクタとフィルタコンデンサとからなる直列回路とを備えることを特徴とするスイッチング電源。
【００２９】
（７）前記第１インダクタと前記第２インダクタとの接続点と前記交流電圧の他端との間に接続するコンデンサを備えることを特徴とする（６）記載のスイッチング電源。
【発明の効果】
【００３０】
本発明によれば次のような効果がある。
本発明のスイッチング電源は、伝導ノイズのノルマルモード成分が抑制され、良好な伝導ノイズ特性が得られる。また、これに伴い良好な放射ノイズ特性が得られる。
【００３１】
そして、本発明のスイッチング電源はフィルタを小形にできる。また、低コスト・低損失となる。さらに、本発明のスイッチング電源は部品点数が少なく、簡便に形成できる。
【００３２】
また、本発明のスイッチング電源はインダクタ電流連続モード（ＣＣＭ）において、高力率が得られる。したがって、小形で高出力を得ることができる。
【００３３】
さらに、本発明のスイッチング電源における、カップルドインダクタは、“ゼロ”リップル回路を簡便に形成する。また、本発明のスイッチング電源における、カップルドインダクタは、ノイズを抑制すると共に、入力電流の高調波を抑制できる。
【発明を実施するための最良の形態】
【００３４】
以下に、図１に基づいて本発明を詳細に説明する。図１は本発明に係るスイッチング電源の一実施例を示す構成図である。なお、図１７の従来例と同一の要素には同一符号を付し、説明を省略する。
【００３５】
図１の実施例の特徴は、特に、“ゼロ”リップル回路１０における、カップルドインダクタＴ２とフィルタコンデンサＣｆ２との構成にある。
【００３６】
同図において、カップルドインダクタＴ２の第１巻線Ｌｄｃの一端は、整流器である整流回路ＤＢ１を介して、交流電圧Ｖａｃの一端に接続する。また、第１巻線Ｌｄｃの他端は、整流器であるダイオードＤ２を介して、高周波交流電圧Ｖｎに接続する。
【００３７】
さらに、カップルドインダクタＴ２の第２巻線Ｌａｃの一端は、フィルタコンデンサＣｆ２を介して、共通電位ＣＯＭに接続する。また、共通電位ＣＯＭは、整流回路ＤＢ１を介して、交流電圧Ｖａｃの他端に接続する。さらに、第２巻線Ｌａｃの他端は、第１巻線ＬｄｃとダイオードＤ２のアノードとの接続点に接続する。
【００３８】
そして、フィルタコンデンサＣｆ２は、第２巻線Ｌａｃと直列に接続する。また、フィルタコンデンサＣｆ２の一端は、第２巻線Ｌａｃを介して、第１巻線ＬｄｃとダイオードＤ２のアノードとの接続点に接続する。さらに、フィルタコンデンサＣｆ２の他端は、共通電位ＣＯＭ及び平滑コンデンサＣｉｎの負極に接続する。
【００３９】
また、カップルドインダクタＴ２において、第１巻線Ｌｄｃと第２巻線Ｌａｃとは磁気的に結合する。そして、第１巻線Ｌｄｃにおける、交流電圧Ｖａｃの一端から高周波交流電圧Ｖｎへの極性と、第２巻線Ｌａｃにおける共通電位ＣＯＭから第１巻線ＬｄｃとダイオードＤ２のアノードとの接続点への極性とは一致する。
【００４０】
さらに、第１巻線Ｌｄｃと第２巻線Ｌａｃとを疎結合とし、例えば、その結合係数Ｋを０．７〜０．６程度とする。そして、例えば、具体的には、第１巻線Ｌｄｃと第２巻線Ｌａｃとを、ＵＵ形コアまたはＵＩコア形等のそれぞれの脚に分離してそれぞれ形成する。
【００４１】
また、コンデンサＣｆ１、フィルタコンデンサＣｆ２及びカップルドインダクタＴ２は“ゼロ”リップル回路１０を形成する。なお、ダブルクォーテーションを付加した“ゼロ”とは、リップルが完全に消滅することを意味するものではなく、単にリップルの減衰率が非常に大きいことを意味する。
【００４２】
そして、整流回路ＤＢ１の正極の電圧Ｖａは、“ゼロ”リップル回路１０を介して、電圧Ｖｂとなり、さらにダイオードＤ２を介して高周波交流電圧Ｖｎとなる。
【００４３】
さらに、図２は、図１の実施例における“ゼロ”リップル回路１０の等価回路である。同図において、第１インダクタＬａと第２インダクタＬｃとからなる直列回路は、電圧Ｖａと電圧Ｖｂとの間に接続する。
【００４４】
また、第３インダクタＬｂとフィルタコンデンサＣｆ２とからなる直列回路は、第１インダクタＬａと第２インダクタＬｃとの接続点と共通電位ＣＯＭとの間に接続する。さらに、コンデンサＣｆ１は、電圧Ｖａと共通電位ＣＯＭとの間に接続する。
【００４５】
さらに、第１インダクタＬａのインダクタンスＬａ、第２インダクタＬｃのインダクタンスＬｃ、第３インダクタＬｂのインダクタンスＬｂは、第１巻線ＬｄｃのインダクタンスＬｄｃ、第２巻線ＬａｃのインダクタンスＬａｃ、結合係数Ｋに対して、Ｌａ＝Ｋ・（Ｌａｃ・Ｌｄｃ）０．５、Ｌｃ＝Ｌｄｃ−Ｋ・（Ｌａｃ・Ｌｄｃ）０．５、Ｌｂ＝Ｌａｃ−Ｋ・（Ｌａｃ・Ｌｄｃ）０．５の関係がある。
【００４６】
そして、図１の実施例のカップルドインダクタＴ２は、図２の等価回路の第１インダクタＬａ、第２インダクタＬｃ及び第３インダクタＬｂを一体化したものに相当する。したがって、図１の実施例は、磁性部品を統合しているため、小形・低コスト・低損失の特性となる。
【００４７】
また、図３は、図１の実施例における“ゼロ”リップル回路の周波数特性図である。同図において、横軸は周波数、縦軸はフィルタとしての減衰量を示す。
【００４８】
さらに、ローパスモードフィルタの特性は、カップルドインダクタＴ２の結合係数Ｋがほぼ（Ｌａｃ／Ｌｄｃ）０．５となるように形成する（ローパスモード）とき、即ち、Ｋ≒（Ｌａｃ／Ｌｄｃ）０．５のときの“ゼロ”リップル回路の周波数特性である。
【００４９】
なお、ローパスモードフィルタの特性は、インダクタンスＬｄｃが８８μＨ、インダクタンスＬａｃが４４μＨ、結合係数Ｋが２０．５、コンデンサＣｆ１が１μＦ、フィルタコンデンサＣｆ２が２μＦの場合の特性を示す。
【００５０】
そして、ローパスモードフィルタの特性は、高域で８０ｄＢ／ｄｅｃａｄｅの減衰特性を有する。
【００５１】
また、ノッチモードフィルタの特性は、カップルドインダクタＴ２の結合係数Ｋが（Ｌａｃ／Ｌｄｃ）０．５よりも小さくなるように形成する（ノッチモード）とき、即ち、Ｋ＜（Ｌａｃ／Ｌｄｃ）０．５のときの“ゼロ”リップル回路の周波数特性である。
【００５２】
なお、ノッチモードフィルタの特性は、インダクタンスＬｄｃが８８μＨ、インダクタンスＬａｃが４４μＨ、結合係数Ｋが０．６５、コンデンサＣｆ１が１μＦ、フィルタコンデンサＣｆ２が２μＦの場合の特性を示す。
【００５３】
そして、ノッチモードフィルタの特性は、ノッチの周波数よりも高域で４０ｄＢ／ｄｅｃａｄｅの減衰特性を有する。そしてまた、ノッチの周波数近傍では、局部的な減衰特性を有する。
【００５４】
さらに、図３のＬＣフィルタの特性は、図１７の従来例のインダクタＬ１とコンデンサＣｆ１とで形成する２次のＬＣフィルタに相当する構成の周波数特性である。なお、ＬＣフィルタの特性は、インダクタＬ１が４４ｕＨ、コンデンサＣｆ１が３μＦの場合の特性を示す。
【００５５】
このような図１の実施例の動作を図４から図７を用いて説明する。なお、平滑コンデンサＣｉｎは３３０μＦ、トランスＴ１における第１一次巻線ｎ１：第２一次巻線ｎ２：二次巻線ｎ３は２１：３９：１２、コンデンサＣｆ１は１μＦ、フィルタコンデンサＣｆ２は２μＦ、交流電圧Ｖａｃは１００Ｖａｃ、負荷電流Ｉｏは６．７Ａ、スイッチＱ１のオンオフの周波数、即ちスイッチング周波数は６０ｋＨｚとする。
【００５６】
また、図４及び図５は、ローパスモードの場合の特性である。さらに、図４は、交流電圧Ｖａｃの周波数領域における図１の実施例の各部の動作波形と伝導ノイズ特性である。また、図５は、交流電圧Ｖａｃの位相角９０度近傍かつスイッチング周波数領域における図１の実施例の各部の動作波形である。
【００５７】
さらに、図６及び図７はノッチモードの場合の特性である。なお、ノッチの周波数はスイッチング周波数にほぼ一致させる。即ち、ノッチの周波数は６０ｋＨｚとする。
【００５８】
また、図６は、交流電圧Ｖａｃの周波数領域における図１の実施例の各部の動作波形と伝導ノイズ特性である。さらにまた、図７は、交流電圧Ｖａｃの位相角９０度近傍かつスイッチング周波数領域における図１の実施例の各部の動作波形である。
【００５９】
さらに、図４及び図６において、（ａ）は入力電流Ｉｉｎであり、（ｂ）は第１巻線Ｌｄｃの第１巻線電流ＩＬｄｃであり、（ｃ）は第２巻線Ｌａｃの第２巻線電流ＩＬａｃであり、（ｄ）は図１の実施例の伝導ノイズ特性である。
【００６０】
また、図５及び図７において、（ａ）は第１巻線Ｌｄｃの第１巻線電流ＩＬｄｃであり、（ｂ）は第２巻線Ｌａｃの第２巻線電流ＩＬａｃであり、（ｃ）はダイオードＤ２を流れる電流ＩＤ２であり、（ｄ）はスイッチＱ１の電圧ＶＱ１及びスイッチＱ１の電流ＩＱ１である。
【００６１】
そして、第１巻線電流ＩＬｄｃは電流ＩＤ２の低域成分（交流電圧Ｖａｃの周波数成分）となり、第２巻線電流ＩＬａｃは電流ＩＤ２の高域成分（スイッチング周波数成分）となる。即ち、高周波交流電圧Ｖｎのスイッチング周波数成分は、第１巻線Ｌｄｃ、即ち交流電圧Ｖａｃに流れず、第２巻線Ｌａｃ、即ちフィルタコンデンサＣｆ２に流れる。
【００６２】
さらに、ノッチの周波数と前記オンオフのスイッチング周波数とがほぼ一致する図１の実施例は、第１巻線電流ＩＬｄｃのリップルが一層低く抑制される（図６（ｂ）及び図７（ａ）参照）。
【００６３】
また、伝導ノイズ特性はスイッチング周波数（６０ｋＨｚ）でピーク値となる。そして、伝導ノイズ特性のピーク値は、ローパスモードにおける図１の実施例は９９ｄＢ（図４（ｄ）参照）、ノッチモードにおける図１の実施例は８２ｄＢ（図６（ｄ）参照）に対し、図１７の従来例は１０９ｄＢ（図１８（ｄ）参照）である。
【００６４】
よって、図１の実施例は良好な伝導ノイズ特性が得られる。特に、伝導ノイズのノルマルモード成分が抑制される。また、ノッチの周波数と前記オンオフのスイッチング周波数とがほぼ一致する図１の実施例は、一層好適な伝導ノイズ特性が得られる（図６（ｄ）参照）。
【００６５】
さらに、伝導ノイズが整流回路ＤＢ１及び交流電圧Ｖａｃ等に流れないため、整流回路ＤＢ１及び交流電圧Ｖａｃ等をアンテナとする放射ノイズが発生しない。よって、図１の実施例は良好な放射ノイズ特性が得られる。
【００６６】
そして、図１の実施例は、フィルタを小形にできる。また、低コスト・低損失となる。さらに、図１の実施例は、部品点数が少なく、簡便に形成できる。
【００６７】
また、カップルドインダクタＴ２の第２巻線Ｌａｃは、スイッチＱ１のオンオフにより、フィルタコンデンサＣｆ２の電圧及び高周波交流電圧Ｖｎが印加され、励磁及びリセットされる。そして、第１巻線Ｌｄｃに生ずる第１巻線電流ＩＬｄｃは、入力電流Ｉｉｎの導通角を広げ、高調波電流を抑制する。よって、図１実施例は高力率で電圧変換する。
【００６８】
さらに、第１巻線電流ＩＬｄｃまたは第２巻線電流ＩＬａｃはゼロとなる期間がなく、図１の実施例は、インダクタ電流連続モード（ＣＣＭ）で動作する。即ち、図１の実施例と図１７の従来例とは、図１の実施例はインダクタ電流連続モード（ＣＣＭ）で動作するに対し、図１７の従来例はインダクタ電流不連続モード（ＤＣＭ）で動作する点で相違する。
【００６９】
さらにまた、整流回路ＤＢ１の電流は、交流電圧Ｖａｃの周波数成分であり、スイッチング周波数成分は抑制される。したがって、整流回路ＤＢ１は、緩やかにオンオフし、低ノイズ・低損失で動作する。
【００７０】
また、図８は、本発明の第２の実施例を示す構成図である。図１の実施例と同じ要素には同一符号を付し、説明を省略する。
【００７１】
図８の実施例の特徴は、コンデンサＣｆ１１とインダクタＬ２との構成にある。
【００７２】
同図において、コンデンサＣｆ１１の一端は、フィルタ３０を介し、交流電圧Ｖａｃの一端に接続し、コンデンサＣｆ１１の他端は、フィルタ３０を介し、交流電圧Ｖａｃの他端に接続する。
【００７３】
また、インダクタＬ２とフィルタコンデンサＣｆ２とは第２巻線Ｌａｃに直列に接続する。さらに、フィルタコンデンサＣｆ２の一端は、インダクタＬ２及び第２巻線Ｌａｃを介して、第１巻線ＬｄｃとダイオードＤ２のアノードとの接続点に接続する。
【００７４】
このような、図８の実施例と図１の実施例とは等価である。詳しくは、図８の実施例のコンデンサＣｆ１１は、図１の実施例のコンデンサＣｆ１と実質的に等価となる。また、インダクタＬ２は、カップルドインダクタＴ２の漏れインダクタと実質的に等価となる。
【００７５】
具体的には、インダクタＬ２のインダクタンスは、カップルドインダクタＴ２のインダクタンスの１／１０程度でよい。このため、インダクタＬ２は小形に形成できる。そして、図８の実施例のカップルドインダクタＴ２の第１巻線Ｌｄｃと第２巻線Ｌａｃとを密結合とする。そしてまた、カップルドインダクタＴ２はＥＥコア等で形成する。
【００７６】
さらに、コンデンサＣｆ１１は、フィルタ３０内のＸコンデンサ成分と実質的に等価となる。
【００７７】
したがって、図８の実施例の動作は、図１の実施例の動作と同様になる。そして、図８の実施例は、図１の実施例と同様に、良好な伝導ノイズ特性が得ることができる。また、インダクタ電流連続モード（ＣＣＭ）で動作する。
【００７８】
さらにまた、上述の例では、第２巻線Ｌａｃ側にインダクタＬ２を接続したが、これとは別に、第１巻線Ｌｄｃ側にインダクタを接続してもよい（図示せず）。このような場合でも、図１の実施例と実質的に等価となり、同様の効果が得られる。
【００７９】
さらに、図９は、本発明の第３の実施例を示す構成図である。図１の実施例と同じ要素には同一符号を付し、説明を省略する。
【００８０】
図９の実施例の特徴は、カップルドインダクタＴ２１とフィルタコンデンサＣｆ２１との構成にある。
【００８１】
同図において、カップルドインダクタＴ２１の第１巻線Ｌ（ｄｃ＋ａｃ）の一端は、整流器である整流回路ＤＢ１を介して、交流電圧Ｖａｃの一端に接続する。また、第１巻線Ｌ（ｄｃ＋ａｃ）の他端は、整流器であるダイオードＤ２を介して、高周波交流電圧Ｖｎに接続する。
【００８２】
さらに、カップルドインダクタＴ２１の第２巻線Ｌａｃの一端は、フィルタコンデンサＣｆ２１を介して、共通電位ＣＯＭに接続する。また、共通電位ＣＯＭは、整流回路ＤＢ１を介して、交流電圧Ｖａｃの他端に接続する。さらに、第２巻線Ｌａｃの他端は、第１巻線Ｌｄｃと整流回路ＤＢ１の正極との接続点に接続する。
【００８３】
そして、フィルタコンデンサＣｆ２１は、第２巻線Ｌａｃと直列に接続する。また、フィルタコンデンサＣｆ２１の一端は、第２巻線Ｌａｃを介して、第１巻線Ｌｄｃと整流回路ＤＢ１の正極との接続点に接続する。さらに、フィルタコンデンサＣｆ２１の他端は、共通電位ＣＯＭ及び平滑コンデンサＣｉｎの負極に接続する。
【００８４】
また、カップルドインダクタＴ２１において、第１巻線Ｌ（ｄｃ＋ａｃ）と第２巻線Ｌａｃとは磁気的に結合する。そして、第１巻線Ｌ（ｄｃ＋ａｃ）における、交流電圧Ｖａｃの一端から高周波交流電圧Ｖｎへの極性と、第２巻線Ｌａｃにおける第１巻線Ｌｄｃと整流回路ＤＢ１の正極との接続点から共通電位ＣＯＭへの極性とは一致する。
【００８５】
さらに、第１巻線Ｌ（ｄｃ＋ａｃ）の電流と第２巻線Ｌａｃの電流との和を電流ＩＴ２とする。
【００８６】
このような、図９の実施例の動作は、図１の実施例の動作と同等となる。そして、図９の実施例における電流ＩＴ２は、図４（ｂ）、図５（ａ）、図６（ｂ）、図７（ａ）のように、低域成分の波形となる。そしてまた、図９の実施例における入力電流Ｉｉｎは、図１の実施例における入力電流Ｉｉｎと同様に導通角が広がる（図４（ａ）、図６（ａ）参照）。なお、第１巻線Ｌ（ｄｃ＋ａｃ）の電流は三角波状となり、第２巻線Ｌａｃの電流も三角波状となる。
【００８７】
したがって、図９の実施例は、図１の実施例と同様に、良好な伝導ノイズ特性が得ることができる。また、インダクタ電流連続モード（ＣＣＭ）で動作する。
【００８８】
また、図１０は、本発明の第４の実施例を示す構成図である。図１の実施例と同じ要素には同一符号を付し、説明を省略する。
【００８９】
図１０の実施例の特徴は、カップルドインダクタＴ２２とフィルタコンデンサＣｆ２２との構成にある。
【００９０】
同図において、カップルドインダクタＴ２２の第１巻線Ｌｄｃの一端は、整流器である整流回路ＤＢ１を介して、交流電圧Ｖａｃの一端に接続する。また、第１巻線Ｌｄｃの他端は、整流器であるダイオードＤ２を介して、高周波交流電圧Ｖｎに接続する。
【００９１】
さらに、カップルドインダクタＴ２２の第２巻線Ｌａｃの一端は、フィルタコンデンサＣｆ２２を介して、電圧Ｖｃに接続する。また、電圧Ｖｃは、平滑コンデンサＣｉｎを介して共通電位ＣＯＭに接続する。そして、平滑コンデンサＣｉｎは交流的な等価回路では、短絡とみなされる。さらに、第２巻線Ｌａｃの他端は、第１巻線ＬｄｃとダイオードＤ２のアノードとの接続点に接続する。
【００９２】
そしてまた、フィルタコンデンサＣｆ２２は、第２巻線Ｌａｃと直列に接続する。また、フィルタコンデンサＣｆ２２の一端は、第２巻線Ｌａｃを介して、第１巻線ＬｄｃとダイオードＤ２のアノードとの接続点に接続する。さらに、フィルタコンデンサＣｆ２の他端は、平滑コンデンサＣｉｎを介して、共通電位ＣＯＭに接続する。
【００９３】
また、カップルドインダクタＴ２２において、第１巻線Ｌｄｃと第２巻線Ｌａｃとは磁気的に結合する。そして、第１巻線Ｌｄｃにおける、交流電圧Ｖａｃの一端から高周波交流電圧Ｖｎへの極性と、第２巻線Ｌａｃにおける電圧Ｖｃから第１巻線ＬｄｃとダイオードＤ２のアノードとの接続点への極性とは一致する。
【００９４】
したがって、図１０の実施例の動作は、図１の実施例の動作と同様になる。そして、図１０の実施例は、図１の実施例と同様に、良好な伝導ノイズ特性が得ることができる。また、インダクタ電流連続モード（ＣＣＭ）で動作する。
【００９５】
さらに、図１１は、本発明の第５の実施例を示す構成図である。図１の実施例と同じ要素には同一符号を付し、説明を省略する。
【００９６】
図１１の実施例の特徴は、トランスＴ１１の補助巻線ｎ４とカップルドインダクタＴ２３とフィルタコンデンサＣｆ２３との構成にある。
【００９７】
同図において、トランスＴ１１の補助巻線ｎ４の一端は共通電位ＣＯＭに接続し、補助巻線ｎ４の他端は高周波交流電圧Ｖｍとなる。即ち、コンバータ２０は、スイッチＱ１のオンオフにより、補助巻線ｎ４の他端に高周波交流電圧Ｖｍを生成する。
【００９８】
また、カップルドインダクタＴ２３の第１巻線Ｌｄｃの一端は、整流器である整流回路ＤＢ１を介して、交流電圧Ｖａｃの一端に接続する。また、第１巻線Ｌｄｃの他端は、整流器であるダイオードＤ２３を介して、高周波交流電圧Ｖｍに接続する。
【００９９】
さらに、カップルドインダクタＴ２３の第２巻線Ｌａｃの一端は、フィルタコンデンサＣｆ２３を介して、電圧Ｖｃに接続する。また、電圧Ｖｃは、平滑コンデンサＣｉｎを介して共通電位ＣＯＭに接続する。そして、平滑コンデンサＣｉｎは交流的な等価回路では、短絡とみなされる。さらに、第２巻線Ｌａｃの他端は、第１巻線ＬｄｃとダイオードＤ２３のカソードとの接続点に接続する。
【０１００】
そして、フィルタコンデンサＣｆ２３は、第２巻線Ｌａｃと直列に接続する。また、フィルタコンデンサＣｆ２３の一端は、第２巻線Ｌａｃを介して、第１巻線ＬｄｃとダイオードＤ２３のカソードとの接続点に接続する。さらに、フィルタコンデンサＣｆ２３の他端は、電圧Ｖｃに接続する。
【０１０１】
また、カップルドインダクタＴ２３において、第１巻線Ｌｄｃと第２巻線Ｌａｃとは磁気的に結合する。そして、第１巻線Ｌｄｃにおける、交流電圧Ｖａｃの一端から高周波交流電圧Ｖｍへの極性と、第２巻線Ｌａｃにおける電圧Ｖｃから第１巻線ＬｄｃとダイオードＤ２３のカソードとの接続点への極性とは一致する。
【０１０２】
したがって、図１１の実施例の構成は、図１の実施例における“ゼロ”リップル回路１０に相当する構成を整流回路ＤＢ１の負極側に形成するものとなる。したがって、図１１の実施例の構成は、実質的に図１の実施例の構成と同等になる。そして、図１１の実施例の動作は、図１の実施例の動作と同様になる。そしてまた、図１１の実施例は、図１の実施例と同様に、良好な伝導ノイズ特性が得ることができる。さらに、インダクタ電流連続モード（ＣＣＭ）で動作する。
【０１０３】
また、図１２は、本発明の第６の実施例を示す構成図である。図１の実施例と同じ要素には同一符号を付し、説明を省略する。
【０１０４】
図１２の実施例の特徴は、コンバータ２０の構成とフィルタコンデンサＣｆ２との構成にある。
【０１０５】
同図において、コンバータ２０は、フォワード方式のコンバータを形成する。
詳しくは、電圧ＶｃはトランスＴ１２の第１一次巻線ｎ１、トランスＴ１２の第２一次巻線ｎ２及びスイッチＱ１とからなる直列回路に接続する。また、トランスＴ１２の二次巻線ｎ３は、ダイオードＤｒｅｃ４及びダイオードＤｆｌｙを介して、インダクタＬｏｕｔ及びコンデンサＣｏｕｔ及び負荷Ｌｏａｄに接続する。さらに、トランスＴ１２のリセット用の巻線ｎ５とダイオードＤ３とからなる直列回路は、電圧Ｖｃと共通電位ＣＯＭとの間に接続する。
【０１０６】
そして、スイッチＱ１のオンオフにより、電圧Ｖｃが第１一次巻線ｎ１及び第２一次巻線ｎ２に印加され、二次巻線ｎ３に出力となる電圧が誘起する。また、二次巻線ｎ３に誘起する電圧は、ダイオードＤｒｅｃ４及びダイオードＤｆｌｙで整流され、さらに、インダクタＬｏｕｔ及びコンデンサＣｏｕｔで平滑され、出力電圧Ｖｏとなる。また、負荷電流Ｉｏは負荷Ｌｏａｄに電力を供給する。
【０１０７】
さらに、コンバータ２０は、スイッチＱ１のオンオフにより、第１一次巻線ｎ１と第２一次巻線ｎ２との接続点に高周波交流電圧Ｖｎを生成する。
【０１０８】
また、フィルタコンデンサＣｆ２の一端は、第１巻線ＬｄｃとダイオードＤ２のアノードとの接続点に接続する。さらに、フィルタコンデンサＣｆ２の他端は、第２巻線Ｌａｃを介して、共通電位ＣＯＭ及び平滑コンデンサＣｉｎの負極に接続する。
【０１０９】
したがって、図１２の実施例の構成は、実質的に図１の実施例の構成と同等になる。そして、図１２の実施例の動作は、図１の実施例の動作と同様になる。そしてまた、図１２の実施例は、図１の実施例と同様に、良好な伝導ノイズ特性が得ることができる。また、インダクタ電流連続モード（ＣＣＭ）で動作する。
【０１１０】
さらに、図１３は、本発明の第７の実施例を示す構成図である。図１の実施例と同じ要素には同一符号を付し、説明を省略する。
【０１１１】
図１３の実施例の特徴は、コンバータ２０の構成にある。同図において、コンバータ２０は、非対称ハーフブリッジコンバータを形成する。その詳細は、本出願人に係る特願平２００３−１０６１８０号に記載があるため省略する。
【０１１２】
そして、電圧ＶｃにスイッチＱ２とスイッチＱ３とからなる直列回路を接続する。そしてまた、スイッチＱ２はオンオフすると共に、スイッチＱ３はスイッチＱ３と相補的にオンオフする。
【０１１３】
また、電圧ＶｃとスイッチＱ２とスイッチＱ３との接続点との間に、インダクタＬ１ＡとトランスＴ１３の第１一次巻線ｎ１とトランスＴ１３の第２一次巻線ｎ２とインダクタＬ１ＢとコンデンサＣ２とからなる直列回路を接続する。
【０１１４】
さらに、トランスＴ１３の第１二次巻線ｎ３はダイオードＤｒｅｃ１に接続し、トランスＴ１３の第２二次巻線ｎ６はダイオードＤｒｅｃ２に接続する。また、ダイオードＤｒｅｃ１及びダイオードＤｒｅｃ２は、インダクタＬｏｕｔを介して、コンデンサＣｏｕｔ及び負荷Ｌｏａｄに接続する。
【０１１５】
また、スイッチＱ２とスイッチＱ３とコンデンサＣ２とはスイッチング回路１１を形成し、第１二次巻線ｎ３と第２二次巻線ｎ６とダイオードＤｒｅｃ１とダイオードＤｒｅｃ２とインダクタＬｏｕｔとは出力回路１２を形成する。
【０１１６】
このような、図１３の実施例は、スイッチＱ２及びスイッチＱ３のオンオフにより、電圧ＶｃからコンデンサＣｏｕｔ及び負荷Ｌｏａｄの電圧、即ち出力電圧Ｖｏを生成し、電圧変換を行う。また、図１３の実施例は、スイッチＱ２及びスイッチＱ３のオンオフにより、スイッチＱ２とスイッチＱ３との接続点に高周波交流電圧Ｖｎを生成する。
【０１１７】
したがって、図１３の実施例の構成は、実質的に図１の実施例の構成と同等になる。そして、図１３の実施例の動作は、図１の実施例の動作と同様になる。そしてまた、図１３の実施例は、図１の実施例と同様に、良好な伝導ノイズ特性が得ることができる。また、インダクタ電流連続モード（ＣＣＭ）で動作する。
【０１１８】
また、図１４は、本発明の第８の実施例を示す構成図である。図１の実施例と同じ要素には同一符号を付し、説明を省略する。
【０１１９】
図１４の実施例の特徴は、コンバータ２０内のトランスＴ１４、トランスＴ１５、トランスＴ１６の構成にある。その詳細は、本出願人に係る特願平２００３−０７９７７０号に記載があるため省略する。
【０１２０】
そして、トランスＴ１４の第１一次巻線ｎ１とトランスＴ１５の第１一時巻線ｎ１とトランスＴ１６の第１一次巻線ｎ１とはそれぞれ並列に接続される。また、トランスＴ１４の第２一次巻線ｎ２とトランスＴ１５の第２一時巻線ｎ２とトランスＴ１６の第２一次巻線ｎ２とはそれぞれ直列に接続される。
【０１２１】
さらに、電圧Ｖｃに第１一次巻線ｎ１と第２一時巻線ｎ２とスイッチＱ１とからなる直列回路を接続する。
【０１２２】
また、トランスＴ１４の二次巻線ｎ３はダイオードＤｒｅｃ１に接続し、トランスＴ１５の二次巻線ｎ３はダイオードＤｒｅｃ２に接続し、トランスＴ１６の二次巻線ｎ３はダイオードＤｒｅｃ３に接続する。さらに、ダイオードＤｒｅｃ１、ダイオードＤｒｅｃ２及びダイオードＤｒｅｃ３は、コンデンサＣｏｕｔ及び負荷Ｌｏａｄに接続する。
【０１２３】
このような、図１４の実施例は、スイッチＱ１のオンオフにより、電圧ＶｃからコンデンサＣｏｕｔ及び負荷Ｌｏａｄの電圧、即ち出力電圧Ｖｏを生成し、電圧変換を行う。また、図１４の実施例は、スイッチＱ２のオンオフにより、第１一次巻線ｎ１と第２一時巻線ｎ２との接続点に高周波交流電圧Ｖｎ’を生成する。
【０１２４】
したがって、図１４の実施例の構成は、実質的に図１の実施例の構成と同等になる。そして、図１４の実施例の動作は、図１の実施例の動作と同様になる。そしてまた、図１４の実施例は、図１の実施例と同様に、良好な伝導ノイズ特性が得ることができる。また、インダクタ電流連続モード（ＣＣＭ）で動作する。
【０１２５】
さらに、図１５は、本発明の第９の実施例を示す構成図である。図１の実施例及び図８の実施例と同じ要素には同一符号を付し、説明を省略する。
【０１２６】
図１５の実施例の特徴は、第１カップルドインダクタＴ２Ａ、フィルタコンデンサＣｆ２Ａ、第２カップルドインダクタＴ２Ｂ、フィルタコンデンサＣｆ２Ｂの構成にある。
【０１２７】
同図において、第１カップルドインダクタＴ２Ａの第１巻線ＬＡｄｃの一端は交流電圧Ｖａｃの一端に接続する。また、第１巻線ＬＡｄｃの他端は、整流器であるダイオードＤ２Ａを介して、高周波交流電圧Ｖｎに接続する。
【０１２８】
さらに、第１カップルドインダクタＴ２Ａの第２巻線ＬＡａｃの一端は、フィルタコンデンサＣｆ２Ａを介して、交流電圧Ｖａｃの他端に接続する。さらに、第２巻線ＬＡａｃの他端は、第１巻線ＬＡｄｃとダイオードＤ２Ａのアノードとの接続点に接続する。
【０１２９】
そして、フィルタコンデンサＣｆ２Ａは、第２巻線ＬＡａｃと直列に接続する。また、フィルタコンデンサＣｆ２Ａの一端は、第２巻線ＬＡａｃを介して、第１巻線ＬＡｄｃとダイオードＤ２Ａのアノードとの接続点に接続する。さらに、フィルタコンデンサＣｆ２Ａの他端は、交流電圧Ｖａｃの他端に接続する。
【０１３０】
また、第１カップルドインダクタＴ２Ａにおいて、第１巻線ＬＡｄｃと第２巻線ＬＡａｃとは磁気的に結合する。そして、第１巻線ＬＡｄｃにおける、交流電圧Ｖａｃの一端から高周波交流電圧Ｖｎへの極性と、第２巻線ＬＡａｃにおける交流電圧Ｖａｃの他端から第１巻線ＬＡｄｃとダイオードＤ２Ａのアノードとの接続点への極性とは一致する。
【０１３１】
さらに、第２カップルドインダクタＴ２Ｂの第１巻線ＬＢｄｃの一端は交流電圧Ｖａｃの他端に接続する。また、第１巻線ＬＢｄｃの他端は、整流器であるダイオードＤ２Ｂを介して、高周波交流電圧Ｖｎに接続する。
【０１３２】
さらに、第２カップルドインダクタＴ２Ｂの第２巻線ＬＢａｃの一端は、フィルタコンデンサＣｆ２Ｂを介して、交流電圧Ｖａｃの一端に接続する。さらに、第２巻線ＬＢａｃの他端は、第１巻線ＬＢｄｃとダイオードＤ２Ｂのアノードとの接続点に接続する。
【０１３３】
そして、フィルタコンデンサＣｆ２Ｂは、第２巻線ＬＢａｃと直列に接続する。また、フィルタコンデンサＣｆ２Ｂの一端は、第２巻線ＬＢａｃを介して、第１巻線ＬＢｄｃとダイオードＤ２Ｂのアノードとの接続点に接続する。さらに、フィルタコンデンサＣｆ２Ｂの他端は、交流電圧Ｖａｃの一端に接続する。
【０１３４】
また、第２カップルドインダクタＴ２Ｂにおいて、第１巻線ＬＢｄｃと第２巻線ＬＢａｃとは磁気的に結合する。そして、第１巻線ＬＢｄｃにおける、交流電圧Ｖａｃの他端から高周波交流電圧Ｖｎへの極性と、第２巻線ＬＢａｃにおける交流電圧Ｖａｃの一端から第１巻線ＬＢｄｃとダイオードＤ２Ｂのアノードとの接続点への極性とは一致する。
【０１３５】
さらに、共通電位ＣＯＭは、ダイオードＤ３Ｂを介して、交流電圧Ｖａｃの一端に接続する。さらにまた、共通電位ＣＯＭは、ダイオードＤ３Ａを介して、交流電圧Ｖａｃの他端に接続する。
【０１３６】
また、電圧Ｖｃは、ダイオードＤ１Ａを介して、交流電圧Ｖａｃの一端に接続する。さらにまた、電圧Ｖｃは、ダイオードＤ１Ｂを介して、交流電圧Ｖａｃの他端に接続する。
【０１３７】
さらに、コンデンサＣｆ１１の一端は交流電圧Ｖａｃの一端に接続し、コンデンサＣｆ１１の他端は交流電圧Ｖａｃの他端に接続する。
【０１３８】
このような、図１５の実施例の構成は、図１の実施例における“ゼロ”リップル回路１０に相当する構成を交流ライン上で形成するものである。したがって、図１５の実施例の構成は、実質的に図１の実施例の構成と同等になる。そして、図１５の実施例の動作は、図１の実施例の動作と同様になる。そしてまた、図１５の実施例は、図１の実施例と同様に、良好な伝導ノイズ特性が得ることができる。また、インダクタ電流連続モード（ＣＣＭ）で動作する。
【０１３９】
さらに、図１５の実施例と図１の実施例とを比較すると、図１５の実施例は、整流器の順方向電圧降下が小さく、損失が小さく好適である。
【０１４０】
詳しくは、図１５の実施例の入力電流Ｉｉｎは、ダイオードＤ３Ａ、交流電圧Ｖａｃ、第１巻線ＬＡｄｃ及びダイオードＤ２Ａを介して高周波交流電圧Ｖｎに流れる（または、ダイオードＤ３Ｂ、交流電圧Ｖａｃ、第１巻線ＬＢｄｃ及びダイオードＤ２Ｂを介して高周波交流電圧Ｖｎに流れる）に対し、図１の実施例の入力電流Ｉｉｎは、整流回路ＤＢ１内のダイオード、交流電圧Ｖａｃ、整流回路ＤＢ１内の他のダイオード、第１巻線Ｌｄｃ及びダイオードＤ２を介して高周波交流電圧Ｖｎに流れる。
【０１４１】
また、図１５の実施例において、第１カップルドインダクタＴ２Ａと第２カップルドインダクタＴ２Ｂとを一体に形成しても同様の動作となる。詳しくは、第１巻線ＬＡｄｃと第２巻線ＬＡａｃと第１巻線ＬＢｄｃと第２巻線ＬＢａｃとは磁気的に結合する。
【０１４２】
そして、ダイオードＤ２ＡとダイオードＤ２Ｂとは同時にオンとならないため、第１カップルドインダクタＴ２Ａと第２カップルドインダクタＴ２Ｂとは好適に協調する。
【０１４３】
また、図１６は、本発明の第１０の実施例を示す構成図である。図１の実施例及び図１０の実施例と同じ要素には同一符号を付し、説明を省略する。
【０１４４】
図１６の実施例の特徴は、“ゼロ”リップル回路１０に係る、第１インダクタＬａ、第２インダクタＬｃ、第３インダクタＬｂの構成にある。
【０１４５】
図１６の実施例の構成は、図１の実施例の“ゼロ”リップル回路１０に、図２の等価回路を適用する構成に相当する。
【０１４６】
また、コンデンサＣｆ３を、第１インダクタＬａと第２インダクタＬｃとの接続点と共通電位ＣＯＭとの間に接続する。即ち、コンデンサＣｆ３を、第３インダクタＬｂとフィルタコンデンサＣｆ２とからなる直列回路に並列に接続する。
【０１４７】
したがって、図１６の実施例の構成は、実質的に図１の実施例の構成と同等になる。そして、図１６の実施例の動作は、図１の実施例の動作と同様になる。そしてまた、図１６の実施例は、図１の実施例と同様に、良好な伝導ノイズ特性が得ることができる。また、インダクタ電流連続モード（ＣＣＭ）で動作する。
【０１４８】
さらに、コンデンサＣｆ３は、“ゼロ”リップル回路１０の高域の減衰特性を好適にする。特に、図１６の実施例は、ノッチモードのとき、高域で８０ｄＢ／ｄｅｃａｄｅの減衰特性を有する。
【０１４９】
そして、図１６の実施例の特性は、図３におけるローパスモードフィルタの特性とノッチモードフィルタの特性とを合わせた好適な特性となる。
【０１５０】
以上のように、本発明は、前述の実施例に限定されることなく、その本質を逸脱しない範囲でさらに多くの変更及び変形を含むものである。
【図面の簡単な説明】
【０１５１】
【図１】本発明の一実施例を示す構成図である。
【図２】図１の実施例における“ゼロ”リップル回路の等価回路である。
【図３】図１の実施例における“ゼロ”リップル回路の周波数特性図である。
【図４】ローパスモードにおける図１の実施例の各部の動作波形及び伝導ノイズ特性である。
【図５】ローパスモードにおける図１の実施例の各部の動作波形である。
【図６】ノッチモードにおける図１の実施例の各部の動作波形及び伝導ノイズ特性である。
【図７】ノッチモードにおける図１の実施例の各部の動作波形である。
【図８】本発明の第２の実施例を示す構成図である。
【図９】本発明の第３の実施例を示す構成図である。
【図１０】本発明の第４の実施例を示す構成図である。
【図１１】本発明の第５の実施例を示す構成図である。
【図１２】本発明の第６の実施例を示す構成図である。
【図１３】本発明の第７の実施例を示す構成図である。
【図１４】本発明の第８の実施例を示す構成図である。
【図１５】本発明の第９の実施例を示す構成図である。
【図１６】本発明の第１０の実施例を示す構成図である。
【図１７】従来のスイッチング電源を示す構成図である。
【図１８】図１７の従来例の各部の動作波形である。
【符号の説明】
【０１５２】
Ｃｉｎ  平滑コンデンサ
Ｃｆ１，Ｃｆ１１，Ｃｆ３  コンデンサ
Ｃｆ２，Ｃｆ２１，Ｃｆ２２，Ｃｆ２３  フィルタコンデンサ
Ｃｆ２Ａ  第１フィルタコンデンサ
Ｃｆ２Ｂ  第２フィルタコンデンサ
ＤＢ１  整流回路
Ｄ１，Ｄ２  ダイオード
Ｌ２  インダクタ
Ｌａ  第１インダクタ
Ｌｂ  第３インダクタ
Ｌｃ  第２インダクタ
Ｑ１，Ｑ２，Ｑ３  スイッチ
Ｔ１，Ｔ１１，Ｔ１２，Ｔ１３，Ｔ１４，Ｔ１５，Ｔ１６  トランス
Ｔ２，Ｔ２１，Ｔ２２，Ｔ２３  カップルドインダクタ
Ｔ２Ａ  第１カップルドインダクタ
Ｔ２Ｂ  第２カップルドインダクタ
Ｌｄｃ，Ｌ（ｄｃ＋ａｃ），ＬＡｄｃ，ＬＢｄｃ  第１巻線
Ｌａｃ，ＬＡａｃ，ＬＢａｃ  第２巻線
１０  “ゼロ”リップル回路
２０  コンバータ
３０  フィルタ
Ｖａｃ  交流入力
Ｖｃ  平滑コンデンサの電圧
Ｖｎ，Ｖｎ’，Ｖｍ  高周波交流電圧
Ｖｏ  出力電圧
ＣＯＭ，ＧＮＤ  共通電位
【図１】
2005057893.tif 000003
【図２】
2005057893.tif 000004
【図３】
2005057893.tif 000005
【図４】
2005057893.tif 000006
【図５】
2005057893.tif 000007
【図６】
2005057893.tif 000008
【図７】
2005057893.tif 000009
【図８】
2005057893.tif 000010
【図９】
2005057893.tif 000011
【図１０】
2005057893.tif 000012
【図１１】
2005057893.tif 000013
【図１２】
2005057893.tif 000014
【図１３】
2005057893.tif 000015
【図１４】
2005057893.tif 000016
【図１５】
2005057893.tif 000017
【図１６】
2005057893.tif 000018
【図１７】
2005057893.tif 000019
【図１８】
2005057893.tif 000020